(57)【要約】      （修正有）【課題】特に油脂汚れ及び粒子状汚れの存在下において、希釈された液体食器手洗い用組成物を使用して食器を洗浄するときの泡立ち体積及び寿命を改善できる液体食器手洗い用洗浄組成物の提供。【解決手段】組成物全体の５重量％〜５０重量％の界面活性剤系を含み、前記界面活性剤系が、ｉ）前記界面活性剤系の６０重量％〜９０重量％の、アルキルサルフェート、アルキルアルコキシサルフェート、及びこれらの混合物からなる群から選択されるアルキルサルフェートアニオン性界面活性剤と、ｉｉ）両性界面活性剤、双性イオン界面活性剤、及びこれらの混合物からなる群から選択される補助界面活性剤とを含み、アルキルサルフェートアニオン性界面活性剤のアルキル鎖が少なくとも５０％のＣ１２及びＣ１３鎖のモル分率を有し、当該アルキル鎖のＣ１３／Ｃ１２モル比が少なくとも５７／４３である、液体食器手洗い用洗浄組成物。【選択図】なし【特許請求の範囲】
【請求項１】
液体食器手洗い用洗浄組成物であって、前記組成物全体の５重量％〜５０重量％の界面活性剤系を含み、前記界面活性剤系が、
ｉ）前記界面活性剤系の６０重量％〜９０重量％の、アルキルサルフェート、アルキルアルコキシサルフェート、及びこれらの混合物からなる群から選択されるアルキルサルフェートアニオン性界面活性剤と、
ｉｉ）両性界面活性剤、双性イオン界面活性剤、及びこれらの混合物からなる群から選択される補助界面活性剤とを含み、
前記アルキルサルフェートアニオン性界面活性剤のアルキル鎖が、少なくとも５０％、好ましくは少なくとも６５％、より好ましくは少なくとも８０％、最も好ましくは少なくとも９０％のＣ１２及びＣ１３鎖のモル分率を有することを特徴とし、前記アルキルサルフェートアニオン性界面活性剤のアルキル鎖のＣ１３／Ｃ１２モル比が、少なくとも５７／４３、好ましくは６０／４０〜９０／１０、より好ましくは６０／４０〜８０／２０、最も好ましくは６０／４０〜７０／３０である、組成物。
【請求項２】
前記液体食器手洗い用洗浄組成物が、前記組成物全体の８重量％〜４５重量％、好ましくは１５重量％〜４０重量％の前記界面活性剤系を含む、請求項１に記載の組成物。
【請求項３】
前記アルキルサルフェートアニオン性界面活性剤と前記補助界面活性剤との重量比が、１：１〜８：１、好ましくは２：１〜５：１、より好ましくは２．５：１〜４：１である、請求項１又は２に記載の組成物。
【請求項４】
前記アルキルサルフェートアニオン性界面活性剤の平均アルキル鎖長が、８〜１８個、好ましくは１０〜１４個、より好ましくは１２〜１４個、最も好ましくは１２〜１３個の炭素原子である、請求項１〜３のいずれか一項に記載の組成物。
【請求項５】
前記アルキルサルフェートアニオン性界面活性剤が、５未満、好ましくは３未満、より好ましくは２未満、かつ０．５超、最も好ましくは０．５〜０．９の平均アルコキシル化度、好ましくは平均エトキシル化度を有する、請求項１〜４のいずれか一項に記載の組成物。
【請求項６】
前記アルキルサルフェートアニオン性界面活性剤が、１０％超、好ましくは２０％超、より好ましくは３０％超、更により好ましくは３０％〜６０％、最も好ましくは３０％〜５０％の重量平均分岐度を有する、請求項１〜５のいずれか一項に記載の組成物。
【請求項７】
前記アルキルサルフェートアニオン性界面活性剤が、前記アルキルサルフェートアニオン性界面活性剤の少なくとも５重量％、好ましくは少なくとも１０重量％、最も好ましくは少なくとも２５重量％の、Ｃ２位における分岐を含む、請求項６に記載の組成物。
【請求項８】
分岐アルキル全量の７５重量％超、より好ましくは９０重量％超が、Ｃ１〜Ｃ５アルキル部分、好ましくはＣ１〜Ｃ２アルキル部分からなる、請求項６又は７に記載の組成物。
【請求項９】
前記界面活性剤系が、３０％未満、好ましくは１５％未満、より好ましくは１０％未満の更なるアニオン性界面活性剤を含み、最も好ましくは、前記界面活性剤系が更なるアニオン性界面活性剤を含まない、請求項１〜８のいずれか一項に記載の組成物。
【請求項１０】
前記補助界面活性剤が、両性界面活性剤、好ましくはアミンオキシド界面活性剤である、請求項１〜９のいずれか一項に記載の組成物。
【請求項１１】
前記アミンオキシド界面活性剤が、アルキルジメチルアミンオキシド、アルキルアミドプロピルジメチルアミンオキシド、及びこれらの混合物からなる群から選択され、好ましくは、前記アミンオキシド界面活性剤が、Ｃ８〜１８アルキルジメチルアミンオキシド、より好ましくはＣ１０〜１６アルキルジメチルアミンオキシドからなる群から選択されるアルキルジメチルアミンオキシド、より好ましくは、Ｃ１０アルキルジメチルアミンオキシド界面活性剤、Ｃ１０〜１２アルキルジメチルアミンオキシド界面活性剤、Ｃ１２〜Ｃ１４アルキルジメチルアミンオキシド界面活性剤、及びこれらの混合物からなる群から選択されるアルキルジメチルアミンオキシドから選択され、最も好ましくは、前記アミンオキシドがＣ１２〜Ｃ１４アルキルジメチルアミンオキシドである、請求項１０に記載の組成物。
【請求項１２】
請求項１〜１１のいずれか一項に記載の組成物であって、前記組成物全体の０．０５重量％〜２重量％の両親媒性アルコキシル化ポリアルキレンイミン及びその混合物を更に含み、前記両親媒性アルコキシル化ポリアルキレンイミンが、１００〜５，０００、好ましくは４００〜２，０００、より好ましくは４００〜１，０００ダルトンの範囲の重量平均分子量を有するポリエチレンイミン主鎖を含むアルコキシル化ポリエチレンイミンポリマーであり、前記アルコキシル化ポリエチレンイミンポリマーが、以下の修飾：
ｉ）修飾がポリエチレンイミン主鎖における内部窒素原子に存在するか又は末端窒素原子に存在するかに応じて、窒素原子１個当たり１又は２個のアルコキシル化修飾であって、前記アルコキシル化修飾が、修飾１個当たり平均約１〜約５０個のアルコキシ部分を有するポリアルコキシレン鎖による水素原子の置換からなり、前記アルコキシル化修飾の末端アルコキシ部分が、水素、Ｃ１〜Ｃ４アルキル、又はこれらの混合物でキャップされている、アルコキシル化修飾、
ｉｉ）置換がポリエチレンイミン主鎖における内部窒素原子に存在するか又は末端窒素原子に存在するかに応じて、窒素原子１個あたり１個のＣ１〜Ｃ４アルキル部分の置換及び１又は２個のアルコキシル化修飾であって、前記アルコキシル化修飾が、修飾１個当たり平均約１〜約５０個のアルコキシ部分を有するポリアルコキシレン鎖による水素原子の置換からなり、末端アルコキシ部分が、水素、Ｃ１〜Ｃ４アルキル、又はこれらの混合物でキャップされている、置換及びアルコキシル化修飾、又は
ｉｉｉ）これらの組み合わせ、を含み、
好ましくは、前記アルコキシ部分が、エトキシ（ＥＯ）、プロポキシ（ＰＯ）、ブトキシ（ＢＯ）、及びこれらの混合物から選択されるが、ただし、前記アルコキシ部分は、エトキシ単位のみを含むものではなく、より好ましくは、前記ポリアルコキシレン鎖が、３〜３０の平均エトキシル化度及び１〜２０の平均プロポキシル化度を有するエトキシ／プロポキシブロック部分、より好ましくは、２０〜３０の平均エトキシル化度及び１０〜２０の平均プロポキシル化度を有するエトキシ／プロポキシブロック部分であり、最も好ましくは、プロポキシ部分ブロックが末端アルコキシ部分ブロックである、組成物。
【請求項１３】
請求項１〜１２のいずれか一項に記載の組成物であって、式（ＩＩＩ）の環状ポリアミン：
【化１】
2020059843.tif 000011
（式中、Ｒ１、Ｒ２、Ｒ３、Ｒ４、及びＲ５は、独立して、ＮＨ２、−Ｈ、１〜１０個の炭素原子を有する直鎖又は分枝状アルキル、及び１〜１０個の炭素原子を有する直鎖又は分枝状アルケニルからなる群から選択され、ｎは、０〜３であり、好ましくはｎは１であり、Ｒのうちの少なくとも１つはＮＨ２であり、残りのＲは、独立して、ＮＨ２、−Ｈ、１〜１０個の炭素原子を有する直鎖又は分枝状アルキル、及び１〜１０個の炭素原子を有する直鎖又は分枝状アルケニルからなる群から選択される）を更に含み、好ましくは、前記環状ポリアミンが、ジアミン（式中、ｎは１であり、Ｒ２はＮＨ２であり、Ｒ１、Ｒ３、Ｒ４、及びＲ５のうちの少なくとも１つはＣＨ３であり、残りのＲはＨである）であり、最も好ましくは、前記環状ポリアミンが、２−メチルシクロヘキサン−１，３−ジアミン、４−メチルシクロヘキサン−１，３−ジアミン、及びこれらの混合物からなる群から選択される、組成物。
【請求項１４】
食器を手洗いする方法であって、請求項１〜１３のいずれか一項に記載の組成物を所定の体積の水に供給して洗浄溶液を形成する工程と、前記溶液中に前記食器を浸漬する工程と、を含む、方法。
【請求項１５】
油脂及び／又は粒子状汚れの存在下において泡を安定化させるための、請求項１〜１３のいずれか一項に記載の組成物の使用。
【発明の詳細な説明】
【技術分野】
【０００１】
本発明は、液体食器手洗い用洗浄組成物に関する。
【背景技術】
【０００２】
洗浄組成物を希釈した水で満たされたシンク内で食器を手洗いしている間、ユーザは、典型的には、希釈された洗浄組成物の残りの洗浄効果の目安として泡のレベルに依存する。大きな泡体積及び／又は安定した長持ちする泡寿命（すなわち、マイレージ）は、所望の洗浄を行うために十分な活性成分（例えば、界面活性剤）が残っていることをユーザに示す。泡寿命が不十分であると、典型的には、洗浄効果が残っている場合であってもユーザが追加の洗浄組成物を投入することにつながる。
【０００３】
食器洗浄中に泡を提供するためにアニオン性界面活性剤が使用されており、高い比率のＣ１２及びＣ１３鎖を有するアルキルサルフェート及びアルキルアルコキシサルフェートが、所望の洗浄に加えて改善された泡立ちをもたらすのに特に有効であることが判明している。このような硫酸化界面活性剤は、ＯＸＯ−アルコール及びＦｉｓｈｅｒ  Ｔｒｏｐｓｈアルコールなどの合成アルコールから誘導することができる。分留を使用して、Ｃ１２及びＣ１３アルキル鎖の比率を増加させることができる。
【０００４】
泡の体積及び寿命は、特に高レベルの油脂汚れ及び粒子状汚れの両方が食器洗浄液中に存在する場合、油脂汚れ又は粒子状汚れの存在によって著しい影響を受ける。多くの場合、油脂汚れの存在下における泡のマイレージを改善するための配合方法は、粒子状汚れの存在下において泡のマイレージの低下を引き起こし、逆もまた同様である。
【発明の概要】
【発明が解決しようとする課題】
【０００５】
したがって、依然として所望の洗浄を提供しながら、特に油脂汚れ及び粒子状汚れの存在下において、希釈された液体食器手洗い用組成物を使用して食器を洗浄するときの泡立ちの体積及び寿命を更に改善する必要性が存在する。
【課題を解決するための手段】
【０００６】
本発明は、液体食器手洗い用洗浄組成物であって、組成物全体の５重量％〜５０重量％の界面活性剤系を含み、当該界面活性剤系が、当該界面活性剤系の６０重量％〜９０重量％の、アルキルサルフェート、アルキルアルコキシサルフェート、及びこれらの混合物からなる群から選択されるアルキルサルフェートアニオン性界面活性剤と、両性界面活性剤、双性イオン界面活性剤、及びこれらの混合物からなる群から選択される補助界面活性剤とを含み、当該アルキルサルフェートアニオン性界面活性剤のアルキル鎖が、少なくとも５０％、好ましくは少なくとも６５％、より好ましくは少なくとも８０％、最も好ましくは少なくとも９０％のＣ１２及びＣ１３鎖のモル分率を有することを特徴とし、当該アルキルサルフェートアニオン性界面活性剤のアルキル鎖のＣ１３／Ｃ１２モル比が、少なくとも５７／４３、好ましくは６０／４０〜９０／１０、より好ましくは６０／４０〜８０／２０、最も好ましくは６０／４０〜７０／３０である、組成物に関する。
【０００７】
本発明は、更に、本発明の組成物を所定の体積の水に供給して洗浄溶液を形成する工程と、当該溶液中に食器を浸漬する工程とを含む、食器を手洗いする方法、並びに油脂及び／又は粒子状汚れの存在下において泡を安定化させるための当該組成物の使用に関する。
【発明を実施するための形態】
【０００８】
本発明の液体食器手洗い用洗浄組成物は、油脂及び／又は粒子状汚れの存在下であっても、食器洗浄プロセスを通じて大きな体積の泡の生成及び持続性の泡安定化を含む良好な泡立ちプロファイルを提供する。これは、継続して洗浄性能をもたらすのに十分な活性成分がまだ残っていることをユーザに伝え、それによって、ユーザが製品を再投入したり過剰に消費したりすることを減らす。
【０００９】
また、本発明の組成物は、良好な油脂除去、特に、良好な未調理油脂及び粒子状汚れの除去を提供する。
【００１０】
用語の定義
本明細書で使用するとき、請求項において使用される「ａ」及び「ａｎ」などの冠詞は、特許請求される又は記載されるものの１つ以上を意味すると理解される。
【００１１】
本明細書で使用するとき、用語「含む（comprising）」とは、特に言及したもの以外のステップ及び成分を付加することができることを意味する。この用語は、「〜からなる（consisting of）」及び「〜から本質的になる（consisting essentially of）」という用語を包含する。本発明の組成物は、本明細書に記載される本発明の必須要素及び制限事項、並びに本明細書に記載されるあらゆる追加若しくは任意の成分、構成要素、ステップ、又は制限事項を含み、これらからなり、あるいは、これらから本質的になることができる。
【００１２】
本明細書で使用するとき、用語「食器」は、非限定的な例として、セラミック、陶磁器、金属、ガラス、プラスチック（例えば、ポリエチレン、ポリプロピレン、ポリスチレンなど）及び木材から製造された調理器具及び食卓用食器類を含む。
【００１３】
本明細書で使用するとき、用語「油脂」又は「油脂の」は、少なくとも部分的に（すなわち、油脂の少なくとも０．５重量％）、飽和及び不飽和の脂肪及び油、好ましくは、牛肉、豚肉、及び／又は鶏肉などの動物性原料に由来する油及び脂肪を含む物質を意味する。
【００１４】
用語「含む（include）」、「含む（includes）」、及び「含む（including）」とは、非限定的であることを意味する。
【００１５】
本明細書で使用するとき、用語「粒子状汚れ」は、無機及び特に有機の固体汚れ粒子、特に食品粒子、例えば、非限定的な例としては、超微粒子状元素炭素、焼成された油脂粒子、及び肉粒子を意味する。
【００１６】
本明細書で使用するとき、用語「泡立ち特性」とは、食器洗いプロセスの間の泡の性質に関する洗浄組成物の特性のことを指す。洗浄組成物の「泡立ちプロファイル」という用語は、水性洗浄液中の洗浄組成物の溶解及び撹拌、典型的には手動撹拌の際に発生する泡の体積、並びに食器洗浄プロセス中の泡の保持を含む。好ましくは、「良好な泡立ちプロファイル」を有すると特徴付けられる食器手洗い用洗浄組成物は、特に食器手洗いプロセスのかなりの部分又は全体にわたって、大きな泡体積及び／又は持続性の泡体積を有する傾向がある。これは、十分な洗浄組成物が投入されたことの指標として消費者が泡の多さを使用しているので、重要である。更に、消費者は、食器洗いプロセスの終盤に向かっていても、十分な活性洗浄成分（例えば、界面活性剤）が存在していることの指標としても、持続する泡体積を使用する。消費者は、通常、発泡が少なくなったときに洗浄溶液を新しくする。したがって、低発泡洗浄組成物は、発泡レベルが低いことから、消費者によって必要以上に頻繁に取り替えられる傾向がある。
【００１７】
本明細書に述べられ、かつ特許請求される、出願人らによる発明のパラメータのそれぞれの値を決定するには、本出願の試験方法の項に開示される試験方法が使用されなければならない点は理解されよう。
【００１８】
本発明の全ての実施形態では、特にそうでない旨が具体的に述べられない限り、文脈から明らかであるように、全ての割合は、組成物全体の重量によるものである。特にそうでない旨が具体的に述べられない限り、全ての比は重量比であり、全ての測定は特に指定しない限りは２５℃で行われる。
【００１９】
洗浄組成物
洗浄組成物は、液体形態の食器手洗い用洗浄組成物である。当該洗浄組成物は、好ましくは、水性洗浄組成物である。したがって、当該組成物は、組成物全体の５０重量％〜８５重量％、好ましくは５０重量％〜７５重量％の水を含み得る。
【００２０】
好ましくは、本組成物のｐＨは、２０℃の蒸留水中１０％希釈で測定されるとき、約６〜約１４、好ましくは約７〜約１２、又はより好ましくは約７．５〜約１０である。組成物のｐＨは、当該技術分野において既知のｐＨ調整成分を使用して調整することができる。
【００２１】
本発明の組成物は、ニュートン流体又は非ニュートン流体とすることができ、好ましくはニュートン流体である。好ましくは、当該組成物は、１０ｍＰａ・ｓ〜１０，０００ｍＰａ・ｓ、好ましくは１００ｍＰａ・ｓ〜５，０００ｍＰａ・ｓ、より好ましくは３００ｍＰａ・ｓ〜２，０００ｍＰａ・ｓ、又は最も好ましくは５００ｍＰａ・ｓ〜１，５００ｍＰａ・ｓ、あるいはこれらの組み合わせの粘度を有する。粘度は、スピンドル２１を用いてＢｒｏｏｋｆｉｅｌｄ  ＲＴ粘度計により、２５℃、２０ＲＰＭで測定する。
【００２２】
界面活性剤系
洗浄組成物は、組成物全体の５重量％〜５０重量％、好ましくは８重量％〜４５重量％、最も好ましくは１５重量％〜４０重量％の界面活性剤系を含む。希釈後の界面活性剤の充填を改善し、ひいては泡のマイレージを改善するために、当該界面活性剤系は、アルキルサルフェートアニオン性界面活性剤及び補助界面活性剤を含む。アルキルサルフェートアニオン性界面活性剤と補助界面活性剤との重量比は、１：１〜８：１、好ましくは２：１〜５：１、より好ましくは２．５：１〜４：１であり得る。
【００２３】
液体食器手洗い用洗浄組成物の好ましい実施形態は、組成物全体の１５重量％〜４０重量％の、アニオン性界面活性剤及びアミンオキシド補助界面活性剤を含む界面活性剤系を含み、当該アニオン性界面活性剤は、Ｃ１２及びＣ１３鎖のモル分率が少なくとも９０％であり、アルキルサルフェートアニオン性界面活性剤のアルキル鎖のＣ１３／Ｃ１２モル比が６０／４０〜７０／３０であり、平均アルキル鎖長が１２〜１３であり、平均エトキシル化度が０．５〜０．９であり、重量平均分岐度が３０％〜５０％である、少なくとも１つのアルキルエトキシサルフェート、又は少なくとも１つのアルキルサルフェートと少なくとも１つのアルキルエトキシサルフェートとの混合物からなり、そして、当該アニオン性界面活性剤及びアミンオキシド補助界面活性剤は、２．５：〜４：１の重量比で存在する。
【００２４】
アニオン性界面活性剤
界面活性剤系は、当該界面活性剤系の６０重量％〜９０重量％、好ましくは６５重量％〜８５重量％、より好ましくは７０重量％〜８０重量％の、アルキルサルフェート、アルキルアルコキシサルフェート、及びこれらの混合物からなる群から選択されるアルキルサルフェートアニオン性界面活性剤を含む。好ましいアルキルアルコキシサルフェートは、アルキルエトキシサルフェートである。
【００２５】
アルキルサルフェートアニオン性界面活性剤のアルキル鎖のＣ１２及びＣ１３鎖のモル分率は、少なくとも５０％、好ましくは少なくとも６５％、より好ましくは少なくとも８０％、最も好ましくは少なくとも９０％である。アルキル鎖のＣ１３／Ｃ１２モル比が少なくとも５７／４３、好ましくは６０／４０〜９０／１０、より好ましくは６０／４０〜８０／２０、最も好ましくは６０／４０〜７０／３０であるとき、特に油脂汚れの存在下において、泡のマイレージが特に改善されると同時に、粒子状汚れの存在における泡のマイレージが損なわれることはない。
【００２６】
油脂除去の改善と洗浄速度の向上との組み合わせを提供するためには、アルキルサルフェートアニオン性界面活性剤のモル平均アルキル鎖長は、８〜１８個、好ましくは１０〜１４個、より好ましくは１２〜１４個、最も好ましくは１２〜１３個の炭素原子であり得る。
【００２７】
アルキルサルフェートアニオン性界面活性剤中のＣ１３及びＣ１２アルキル鎖の相対モル量は、アニオン性界面活性剤の炭素鎖長分布から導き出すことができる。アルキルサルフェートアニオン性界面活性剤のアルキル鎖の炭素鎖長分布は、界面活性剤又は構成アルキルアルコールの供給元からの技術データシートから得ることができる。あるいは、アルキルサルフェートアニオン性界面活性剤を作製するために使用される脂肪族アルコールの鎖長分布及び平均分子量は、当該技術分野において既知の方法によって決定することもできる。このような方法としては、溶媒としてヘキサンを使用する、中極性キャピラリカラムにおける炎イオン化検出を伴うキャピラリガスクロマトグラフィーが挙げられる。鎖長分布は、出発アルコール及びアルコキシル化アルコールに基づく。したがって、アルキルサルフェートアニオン性界面活性剤は、例えば塩酸を使用して、分析する前に加水分解して対応するアルキルアルコール及びアルキルアルコキシル化アルコールに戻さなければならない。
【００２８】
好ましくは、アルキルサルフェートアニオン性界面活性剤は、低温物理的安定性を改善し、本発明の組成物の泡のマイレージを改善するために、５未満、好ましくは３未満、より好ましくは２未満、かつ０．５超、最も好ましくは０．５〜０．９の平均アルコキシル化度を有する。平均アルコキシル化度は、全てのアルキルサルフェートアニオン性界面活性剤のモル平均アルコキシル化度（すなわち、モル平均アルコキシル化度）である。したがって、モル平均アルコキシル化度を計算するとき、非アルコキシル化サルフェートアニオン性界面活性剤のモルが含まれる。
モル平均アルコキシル化度＝（ｘ１＊界面活性剤１のアルコキシル化度＋ｘ２＊界面活性剤２のアルコキシル化度＋．．．）／（ｘ１＋ｘ２＋．．．）
（式中、ｘ１、ｘ２、．．．は、混合物の各アルキル（又はアルコキシ）サルフェートアニオン性界面活性剤のモル数であり、アルコキシル化度は、各アルキルサルフェートアニオン性界面活性剤中のアルコキシ基の数である）。
【００２９】
好ましいアルキルアルコキシサルフェートは、アルキルエトキシサルフェートである。
【００３０】
アルキルサルフェートアニオン性界面活性剤は、１０％超、好ましくは２０％超、より好ましくは３０％超、更により好ましくは３０％〜６０％、最も好ましくは３０％〜５０％の重量平均分岐度を有し得る。アルキルサルフェートアニオン性界面活性剤は、当該アルキルサルフェートアニオン性界面活性剤の少なくとも５重量％、好ましくは少なくとも１０重量％、最も好ましくは少なくとも２５重量％のＣ２位における分岐を含み得る（非アルコキシル化アルキルサルフェートアニオン性界面活性剤について硫酸基から炭素原子を計数することによって測定し、アルコキシル化アルキルサルフェートアニオン性界面活性剤の硫酸基から最も遠いアルコキシ基から当該計数を行ったとき）。より好ましくは、分岐アルキル全量の７５重量％超、更により好ましくは９０重量％超が、Ｃ１〜Ｃ５アルキル部分、好ましくはＣ１〜Ｃ２アルキル部分からなる。前述の分岐度を有するアルキルサルフェート界面活性剤を使用して本発明の組成物を配合した結果、低温安定性が改善されることが判明している。このような組成物は、低温における良好な物理的安定性を達成するために必要な溶媒がより少ない。したがって、当該組成物は、依然として改善された低温安定性を有しながら、洗浄組成物の５．０重量％未満の有機溶媒という低濃度の有機溶媒を含み得る。界面活性剤の分岐がより多いことによっても、初期の泡発生がより速くなるが、典型的には、泡のマイレージが低くなる。本明細書に記載される重量平均分岐は、改善された低温安定性、初期泡発生、及び泡寿命を提供することが判明している。
【００３１】
アニオン性界面活性剤混合物の重量平均分岐度は、以下の式を用いて計算することができる。
重量平均分岐度（％）＝［（ｘ１＊アルコール１中の分岐アルコール１の重量％＋ｘ２＊アルコール２中の分岐アルコール２の重量％＋．．．）／（ｘ１＋ｘ２＋．．．）］＊１００
（式中、ｘ１、ｘ２、．．．は、アルキル（アルコキシ）サルフェートアニオン性界面活性剤を生成するために（アルコキシル化及び）硫酸化の前に出発物質として用いたアルコールの全アルコール混合物中の各アルコールの重量（グラム）である）。重量平均分岐度の計算では、分岐していないアルキルサルフェートアニオン性界面活性剤を形成するために使用されたアルキルアルコールの重量が含まれる。
【００３２】
重量平均分岐度及び分岐分布は、典型的には、界面活性剤又は構成アルキルアルコールの技術データシートから得ることができる。あるいは、分岐は、溶媒としてヘキサンを使用する、中極性キャピラリカラムにおける炎イオン化検出を伴うキャピラリガスクロマトグラフィーを含む、当該技術分野において既知の分析方法を通して決定することもできる。重量平均分岐度及び分岐分布は、アルキルサルフェートアニオン性界面活性剤を生成するために使用した出発アルコールに基づく。
【００３３】
好適な対イオンとしては、アルカリ金属カチオン、アルカリ土類金属カチオン、アルカノールアンモニウム、又はアンモニウム若しくは置換アンモニウムが挙げられるが、好ましくはナトリウムである。
【００３４】
市販のアルキルサルフェートアニオン性界面活性剤の好適な例としては、Ｓｈｅｌｌによってブランド名Ｎｅｏｄｏｌ（登録商標）で、若しくはＳａｓｏｌによってブランド名Ｌｉａｌ（登録商標）、Ｉｓａｌｃｈｅｍ（登録商標）、及びＳａｆｏｌ（登録商標）で販売されているアルコールに由来するもの、又はＰｒｏｃｔｅｒ  ＆  Ｇａｍｂｌｅ  Ｃｈｅｍｉｃａｌｓ社によって製造された天然アルコールのうちのいくつかが挙げられる。供給元からの技術データシートから又は当該技術分野において既知の方法を使用した分析から得られた、出発アルコール内のＣ１３及びＣ１２の相対分率に基づいて、Ｃ１２及びＣ１３鎖の所望のモル分率及び所望のＣ１３／Ｃ１２比を実現するためにアルコールをブレンドすることができる。
【００３５】
油脂洗浄、泡立ち、低温安定性、及び最終製品の粘度を含む性能は、アルコキシル化アルキルサルフェートアニオン性界面活性剤のアルコキシル化分布の幅によって影響され得る。アルコキシル化アルキルサルフェートアニオン性界面活性剤を作製するときの触媒及びプロセス条件の選択を通して、その幅の広さを含むアルコキシル化分布を変化させることができる。
【００３６】
理論に束縛されるものではないが、アルコキシル化、特にエトキシル化及び硫酸化の工程の間、加工条件及び原材料組成を厳密に管理することを通じて、アルコキシル化、特にエトキシル化されたアルキルサルフェート内の１，４−ジオキサン副生成物の量を最小限に抑えることができる。結果として得られる１，４−ジオキサンのストリッピング、蒸留、蒸発、遠心分離、マイクロ波照射、分子ふるい、又は触媒若しくは酵素分解工程によって、１，４−ジオキサン副生成物を更に低減することができる。アルコキシル化／エトキシル化アルキルサルフェート内の１，４−ジオキサン含量を管理するプロセスは、当該技術分野において広く記載されている。あるいは、例えば、５，６−ジヒドロ−３−（４−モルホリニル）−１−［４−（２−オキソ−１−ピペリジニル）フェニル］−２（１Ｈ）−ピリドン、コラン酸の３ａ−ヒドロキシ−７−オキソ−混合物、３−（Ｎ−メチルアミノ）−Ｌ−アラニン、及びこれらの混合物等、１，４−ジオキサンを含む製剤に１，４−ジオキサン阻害剤を添加することを通して、洗剤製剤内の１，４−ジオキサン濃度を管理することも当該技術分野において記載されている。原材料及び洗剤の製造プロセスにわたって１，４−ジオキサンを厳密に管理することによって、製品製剤の残留１，４−ジオキサン含量を１０ｐｐｍ未満、好ましくは５ｐｐｍ未満、更により好ましくは１ｐｐｍ未満にすることができる。
【００３７】
界面活性剤系は、ＨＬＡＳなどのスルホネート、又はスルホコハク酸アニオン性界面活性剤を含む更なるアニオン性界面活性剤を含んでいてもよい。しかしながら、当該組成物は、好ましくは、界面活性剤系の３０重量％未満、好ましくは１５重量％未満、より好ましくは１０重量％未満の更なるアニオン性界面活性剤を含む。最も好ましくは、界面活性剤系は、アルキルサルフェートアニオン性界面活性剤以外の更なるアニオン性界面活性剤を含まない。
【００３８】
補助界面活性剤
当該組成物は、界面活性剤系の一部として、両性界面活性剤、双性イオン界面活性剤、及びこれらの混合物からなる群から選択される補助界面活性剤を更に含む。当該組成物は、好ましくは、洗浄組成物の０．１重量％〜２０重量％、より好ましくは０．５重量％〜１５重量％、特に２重量％〜１０重量％の補助界面活性剤を含む。
【００３９】
本発明の洗浄組成物の界面活性剤系は、好ましくは、当該界面活性剤系の１０重量％〜４０重量％、好ましくは１５重量％〜３５重量％、より好ましくは２０重量％〜３０重量％の補助界面活性剤を含む。
【００４０】
補助界面活性剤は、両性界面活性剤、双性イオン界面活性剤、及びこれらの混合物からなる群から選択される。補助界面活性剤は、好ましくは、両性界面活性剤、より好ましくは、アミンオキシド界面活性剤である。
【００４１】
アミンオキシド界面活性剤は、直鎖状であっても分枝状であってもよいが、直鎖状が好ましい。好適な直鎖アミンオキシドは、典型的には水溶性であり、式Ｒ１−Ｎ（Ｒ２）（Ｒ３）Ｏ（式中、Ｒ１は、Ｃ８〜１８アルキルであり、Ｒ２及びＲ３部分は、Ｃ１〜３アルキル基、Ｃ１〜３ヒドロキシアルキル基、及びこれらの混合物からなる群から選択される）によって特徴付けられる。例えば、Ｒ２及びＲ３は、メチル、エチル、プロピル、イソプロピル、２−ヒドロキシエチル、２−ヒドロキシプロピル、及び３−ヒドロキシプロピル、並びにこれらの混合物からなる群から選択することができるが、Ｒ２及びＲ３の一方又は両方がメチルであることが好ましい。直鎖アミンオキシド系界面活性剤としては、特に、直鎖Ｃ１０〜Ｃ１８アルキルジメチルアミンオキシド及び直鎖Ｃ８〜Ｃ１２アルコキシエチルジヒドロキシエチルアミンオキシドを挙げることができる。
【００４２】
好ましくは、アミンオキシド界面活性剤は、アルキルジメチルアミンオキシド、アルキルアミドプロピルジメチルアミンオキシド、及びこれらの混合物からなる群から選択される。Ｃ８〜１８アルキルジメチルアミンオキシド、又はＣ１０〜１６アルキルジメチルアミンオキシド（ココジメチルアミンオキシドなど）などのアルキルジメチルアミンオキシドが好ましい。好適なアルキルジメチルアミンオキシドとしては、Ｃ１０アルキルジメチルアミンオキシド界面活性剤、Ｃ１０〜１２アルキルジメチルアミンオキシド界面活性剤、Ｃ１２〜Ｃ１４アルキルジメチルアミンオキシド界面活性剤、及びこれらの混合物が挙げられる。Ｃ１２〜Ｃ１４アルキルジメチルアミンオキシドが特に好ましい。
【００４３】
別の好適なアミンオキシド界面活性剤としては、中鎖分枝状（mid-branched）アミンオキシド界面活性剤が挙げられる。本明細書で使用するとき、「中鎖分枝状」とは、アミンオキシドが、ｎ１個の炭素原子を有する１つのアルキル部分を有し、当該アルキル部分における１つのアルキル分岐がｎ２個の炭素原子を有することを意味する。アルキル分岐は、アルキル部分上で、窒素に結合したα炭素上に位置する。アミンオキシドにおけるこの種の分枝は、当該技術分野において、内部アミンオキシドとしても知られている。ｎ１とｎ２との合計は、１０〜２４個、好ましくは１２〜２０個、より好ましくは１０〜１６個の炭素原子であってよい。１つのアルキル部分と１つのアルキル分岐とが対称となるように、１つのアルキル部分の炭素原子数（ｎ１）は、好ましくは、炭素原子数が１つのアルキル分岐（ｎ２）と同じか又は類似している。本明細書で使用するとき、「対称」とは、本明細書で使用される中鎖分岐状アミンオキシドの少なくとも５０重量％、より好ましくは少なくとも７５重量％〜１００重量％において、｜ｎ１−ｎ２｜が５以下、好ましくは４、最も好ましくは０〜４の炭素原子であることを意味する。アミンオキシドは、Ｃ１〜３アルキル、Ｃ１〜３ヒドロキシアルキル基、又は平均して約１〜約３個のエチレンオキシド基を含有するポリエチレンオキシド基から独立して選択される２つの部分を更に含む。好ましくは、２つの部分は、Ｃ１〜３アルキルから選択され、より好ましくは、いずれもＣ１アルキルとして選択される。
【００４４】
あるいは、アミンオキシド界面活性剤は、ローカットアミンオキシド及びミッドカットアミンオキシドの混合物を含む、アミンオキシドの混合物であってもよい。次いで、本発明の組成物のアミンオキシドは、
ａ）当該アミンオキシドの約１０重量％〜約４５重量％の式Ｒ１Ｒ２Ｒ３ＡＯ（式中、Ｒ１及びＲ２は、独立して、水素、Ｃ１〜Ｃ４アルキル、又はこれらの混合物から選択され、Ｒ３は、Ｃ１０アルキル及びこれらの混合物から選択される）のローカットアミンオキシドと、
ｂ）アミンオキシドの５５重量％〜９０重量％の式Ｒ４Ｒ５Ｒ６ＡＯ（式中、Ｒ４及びＲ５は、独立して、水素、Ｃ１〜Ｃ４のアルキル、又はこれらの混合物から選択され、Ｒ６は、Ｃ１２〜Ｃ１６のアルキル又はこれらの混合物から選択される）のミッドカットアミンオキシドと、を含む。
【００４５】
本明細書で使用するのに好ましいローカットアミンオキシドでは、Ｒ３はｎ−デシルであり、好ましくはＲ１及びＲ２の両方がメチルである。式Ｒ４Ｒ５Ｒ６ＡＯのミッドカットアミンオキシドでは、好ましくはＲ４及びＲ５の両方がメチルである。
【００４６】
好ましくはアミンオキシドは、アミンオキシドの約５重量％未満、より好ましくは３重量％未満の式Ｒ７Ｒ８Ｒ９ＡＯ（式中、Ｒ７及びＲ８は水素、Ｃ１〜Ｃ４のアルキル及びこれらの混合物から選択され、Ｒ９はＣ８のアルキル及びこれらの混合物から選択される）のアミンオキシドを含む。式Ｒ７Ｒ８Ｒ９ＡＯのアミンオキシドの量を制限することにより、物理的安定性及び泡のマイレージの両方が改善される。
【００４７】
好適な双性イオン界面活性剤としては、ベタイン界面活性剤が挙げられる。このようなベタイン界面活性剤としては、アルキルベタイン、アルキルアミドベタイン、アミドアゾリニウムベタイン、スルホベタイン（ＩＮＣＩスルタイン）、並びにホスホベタインが挙げられ、好ましくは式（Ｉ）を満たす：
Ｒ１−［ＣＯ−Ｘ（ＣＨ２）ｎ］ｘ−Ｎ＋（Ｒ２）（Ｒ３）−（ＣＨ２）ｍ−［ＣＨ（ＯＨ）−ＣＨ２］ｙ−Ｙ−（Ｉ）
式（Ｉ）中、
Ｒ１は、飽和又は不飽和のＣ６〜２２アルキル残基、好ましくは、Ｃ８〜１８アルキル残基、より好ましくは、飽和Ｃ１０〜１６アルキル残基、最も好ましくは、飽和Ｃ１２〜１４アルキル残基からなる群から選択され、
Ｘは、ＮＨ、ＮＲ４（式中、Ｒ４は、Ｃ１〜４アルキル残基である）、Ｏ、及びＳからなる群から選択され、
ｎは、１〜１０、好ましくは２〜５、より好ましくは３の整数であり、
ｘは、０又は１、好ましくは１であり、
Ｒ２及びＲ３は、独立して、Ｃ１〜４アルキル残基、ヒドロキシエチルなどの置換されているヒドロキシ、及びこれらの混合物からなる群から選択され、好ましくは、Ｒ２及びＲ３はの両方がメチルであり、
ｍは、１〜４、好ましくは１、２、又は３の整数であり、
ｙは、０又は１であり、
Ｙは、ＣＯＯ、ＳＯ３、ＯＰＯ（ＯＲ５）Ｏ、又はＰ（Ｏ）（ＯＲ５）Ｏ（式中、Ｒ５は、Ｈ又はＣ１〜４アルキル残基である）からなる群から選択される。
【００４８】
好ましいベタインは、式（Ｉａ）のアルキルベタイン、式（Ｉｂ）のアルキルアミドプロピルベタイン、式（Ｉｃ）のスルホベタイン、及び式（Ｉｄ）のアミドスルホベタインであり：
Ｒ１-Ｎ（ＣＨ３）２−ＣＨ２ＣＯＯ−    （Ｉａ）
Ｒ１−ＣＯ−ＮＨ（ＣＨ２）３−Ｎ＋（ＣＨ３）２−ＣＨ２ＣＯＯ−    （Ｉｂ）
Ｒ１−Ｎ＋（ＣＨ３）２−ＣＨ２ＣＨ（ＯＨ）ＣＨ２ＳＯ３−    （Ｉｃ）
Ｒ１−ＣＯ−ＮＨ−（ＣＨ２）３−Ｎ＋（ＣＨ３）２−ＣＨ２ＣＨ（ＯＨ）ＣＨ２ＳＯ３−    （Ｉｄ）
式中、Ｒ１は、式（Ｉ）と同じ意味を有する。特に好ましいのは、式（Ｉａ）及び（Ｉｂ）のカルボベタイン［すなわち、式（Ｉ）中、Ｙ−はＣＯＯ−である］であり、より好ましいのは、式（Ｉｂ）のアルキルアミドベタインである。
【００４９】
好適なベタインは、カプリル／カプラミドプロピルベタイン、セチルベタイン、セチルアミドプロピルベタイン、コカミドエチルベタイン、コカミドプロピルベタイン、ココベタイン、デシルベタイン、デシルアミドプロピルベタイン、水素添加タローベタイン／アミドプロピルベタイン、イソステアラミドプロピルベタイン、ラウラミドプロピルベタイン、ラウリルベタイン、ミリスチルアミドプロピルベタイン、ミリスチルベタイン、オレミドプロピルベタイン、オレイルベタイン、パームアミドプロピルベタイン、パルミトアミドプロピルベタイン、パーム核アミドプロピルベタイン、ステアルアミドプロピルベタイン、ステアリルベタイン、タローアミドプロピルベタイン、タローベタイン、ウンデシレンアミドプロピルベタイン、ウンデシルベタイン、及びこれらの混合物からなる群から選択することができるか、又は［ＩＮＣＩに従って命名される］。好ましいベタインは、コカミドプロピルベタイン、ココベタイン、ラウラミドプロピルベタイン、ラウリルベタイン、ミリスチルアミドプロピルベタイン、ミリスチルベタイン、及びこれらの混合物からなる群から選択される。コカミドプロピルベタインが特に好ましい。
【００５０】
非イオン性界面活性剤：
アルコキシル化非イオン性界面活性剤：
好ましくは、本発明の組成物の界面活性剤系は、当該界面活性剤系の１重量％〜２５重量％、好ましくは１．２５重量％〜２０重量％、より好ましくは１．５重量％〜１５重量％、最も好ましくは１．５重量％〜５重量％のアルコキシル化非イオン性界面活性剤を更に含む。
【００５１】
好ましくは、当該アルコキシル化非イオン性界面活性剤は、好ましくは、そのアルキル鎖において平均で９〜１５個、好ましくは１０〜１４個の炭素原子、及びアルコール１モル当たり平均で５〜１２、好ましくは６〜１０、最も好ましくは７〜８単位のエチレンオキシドを含む、直鎖又は分枝状の一級又は二級のアルキルアルコキシル化非イオン性界面活性剤、好ましくはアルキルエトキシル化非イオン性界面活性剤である。
【００５２】
アルキルポリグルコシド非イオン性界面活性剤：
本発明の組成物は、アルキルポリグルコシド（「ＡＰＧ」）界面活性剤を含み得る。アルキルポリグルコシド界面活性剤の添加は、アルキルエトキシル化界面活性剤などの比較非イオン性界面活性剤を超えて泡立ちを改善することが判明している。存在する場合、アルキルポリグルコシドは、界面活性剤組成物の０．５重量％〜２０重量％、好ましくは０．７５重量％〜１５重量％、より好ましくは１重量％〜１０重量％、最も好ましくは１重量％〜５重量％の濃度で界面活性剤系中に存在し得る。好ましくは、アルキルポリグルコシド界面活性剤は、Ｃ８〜Ｃ１６アルキルポリグルコシド界面活性剤、好ましくはＣ８〜Ｃ１４アルキルポリグルコシド界面活性剤である。アルキルポリグルコシドは、好ましくは０．１〜３、より好ましくは０．５〜２．５、更により好ましくは１〜２の平均重合度を有する。最も好ましくは、アルキルポリグリコシド界面活性剤は、１０〜１６、好ましくは１０〜１４、最も好ましくは１２〜１４の平均アルキル炭素鎖長を有し、平均重合度は０．５〜２．５、好ましくは１〜２、最も好ましくは１．２〜１．６である。Ｃ８〜Ｃ１６アルキルポリグリコシドは、いくつかの供給者から市販されている（例えば、Ｓｅｐｐｉｃ  ＣｏｒｐｏｒａｔｉｏｎからのＳｉｍｕｓｏｌ（登録商標）界面活性剤；及びＢＡＳＦ  ＣｏｒｐｏｒａｔｉｏｎからのＧｌｕｃｏｐｏｎ（登録商標）６００  ＣＳＵＰ、Ｇｌｕｃｏｐｏｎ（登録商標）６５０  ＥＣ、Ｇｌｕｃｏｐｏｎ（登録商標）６００  ＣＳＵＰ／ＭＢ、並びにＧｌｕｃｏｐｏｎ（登録商標）６５０  ＥＣ／ＭＢ）。
【００５３】
好適な界面活性剤系は、
ｉ）当該界面活性剤系の７０重量％〜７９重量％のアルコキシエトキシサルフェート界面活性剤と、
ｉｉ）当該界面活性剤系の２０重量％〜３０重量％のアミンオキシド界面活性剤と、
ｉｉｉ）当該界面活性剤系の１重量％〜５重量％のアルキルポリグルコシド界面活性剤と、を含み得る。
【００５４】
両親媒性アルコキシル化ポリアルキレンイミン：
本発明の組成物は、組成物全体の約０．０５重量％〜約２重量％、好ましくは約０．０７重量％〜約１重量％の両親媒性ポリマーを更に含み得る。好適な両親媒性ポリマーは、両親媒性アルコキシル化ポリアルキレンイミン及びこれらの混合物からなる群から選択され得る。洗浄前に液体組成物を洗浄用具（スポンジなど）に直接添加し、その結果、ひどく油脂で汚れた表面と接触したとき、特に、軽量の予め湿らせたスポンジを使用するときなど、当該洗浄用具が少量〜ゼロの水を含むとき、両親媒性アルコキシル化ポリアルキレンイミンポリマーが、洗浄される硬質表面上のゲル形成を低減することが判明している。
【００５５】
好ましくは、当該両親媒性アルコキシル化ポリアルキレンイミンは、１００〜５，０００、好ましくは４００〜２，０００、より好ましくは４００〜１，０００ダルトンの重量平均分子量範囲を有するポリエチレンイミン主鎖を含むアルコキシル化ポリエチレンイミンポリマーである。当該ポリエチレンイミン主鎖は、以下の修飾を含む：
（ｉ）修飾がポリエチレンイミン主鎖における内部窒素原子に存在するか又は末端窒素原子に存在するかに応じて、窒素原子１個当たり１又は２個のアルコキシル化修飾であって、当該アルコキシル化修飾が、修飾１個当たり平均約１〜約５０個のアルコキシ部分を有するポリアルコキシレン鎖による水素原子の置換からなり、当該アルコキシル化修飾の末端アルコキシ部分が、水素、Ｃ１〜Ｃ４アルキル、又はこれらの混合物でキャップされている、アルコキシル化修飾、
（ｉｉ）置換がポリエチレンイミン主鎖における内部窒素原子に存在するか又は末端窒素原子に存在するかに応じて、窒素原子１個あたり１個のＣ１〜Ｃ４アルキル部分の置換及び１又は２個のアルコキシル化修飾であって、当該アルコキシル化修飾が、修飾１個当たり平均約１〜約５０個のアルコキシ部分を有するポリアルコキシレン鎖による水素原子の置換からなり、末端アルコキシ部分が、水素、Ｃ１〜Ｃ４アルキル、又はこれらの混合物でキャップされている、置換及びアルコキシル化修飾、又は
（ｉｉｉ）これらの組み合わせ。
【００５６】
例えば、ポリエチレンイミン主鎖における末端窒素原子に対して可能な修飾を以下に示すが、これらに限定されるものではない（式中、Ｒは、エチレンスペーサーを表し、Ｅは、Ｃ１〜Ｃ４アルキル部分を表し、Ｘ−は、好適な水溶性対イオンを表す）。
【００５７】
【化１】
2020059843.tif 000002
【００５８】
また、例えば、ポリエチレンイミン主鎖における内部窒素原子に対して可能な修飾を以下に示すが、これらに限定されるものではない（式中、Ｒは、エチレンスペーサーを表し、Ｅは、Ｃ１〜Ｃ４アルキル部分を表し、Ｘ−は、好適な水溶性対イオンを表す）。
【００５９】
【化２】
2020059843.tif 000003
【００６０】
ポリエチレンイミン主鎖のアルコキシル化修飾は、平均約１〜約５０のアルコキシ部分、好ましくは約２０〜約４５のアルコキシ部分、最も好ましくは約３０〜約４５のアルコキシ部分を有するポリアルコキシレン鎖による水素原子の置換からなる。アルコキシ部分は、エトキシ（ＥＯ）、プロポキシ（ＰＯ）、ブトキシ（ＢＯ）、及びこれらの混合物から選択される。しかし、エトキシ単位のみを含むアルコキシ部分は、本発明の使用の範囲外である。好ましくは、ポリアルコキシレン鎖は、エトキシ／プロポキシブロック部分から選択される。より好ましくは、ポリアルコキシレン鎖は、約３〜約３０の平均エトキシル化度及び約１〜約２０の平均プロポキシル化度を有するエトキシ／プロポキシブロック部分、より好ましくは約２０〜約３０の平均エトキシル化度及び約１０〜約２０の平均プロポキシル化度を有するエトキシ／プロポキシブロック部分である。
【００６１】
より好ましくは、エトキシ／プロポキシブロック部分は、３：１〜１：１、好ましくは２：１〜１：１のエトキシ単位とプロポキシ単位との相対比率を有する。最も好ましくは、ポリアルコキシレン鎖は、プロポキシ部分ブロックが末端アルコキシ部分ブロックである、エトキシ／プロポキシブロック部分である。
【００６２】
この修飾により、ポリエチレンイミン主鎖の窒素原子は永久的に四級化されてもよい。永久的な四級化の度合は、ポリエチレンイミン主鎖の窒素原子の０％〜約３０％であってもよい。ポリエチレンイミン主鎖の窒素原子の３０％未満が永久的に四級化されることが好ましい。最も好ましくは、四級化の度合は約０％である。
【００６３】
好ましい両親媒性アルコキシル化ポリエチレンイミンポリマーは、式（ＩＩ）の一般構造を有する。
【００６４】
【化３】
2020059843.tif 000004
ポリエチレンイミン主鎖の重量平均分子量は約６００であり、式（ＩＩ）のｎの平均は約１０であり、式（ＩＩ）のｍの平均は約７であり、式（ＩＩ）のＲは、水素、Ｃ１〜Ｃ４アルキル、及びこれらの混合物から選択され、好ましくは水素である。式（ＩＩ）の永久的な四級化の度合は、ポリエチレンイミン主鎖の窒素原子の０％〜約２２％であってもよい。この両親媒性アルコキシル化ポリエチレンイミンポリマーの分子量は、好ましくは、１０，０００〜１５，０００Ｄａである。
【００６５】
より好ましくは、当該両親媒性アルコキシル化ポリエチレンイミンポリマーは、式（ＩＩ）の一般構造を有するが、ポリエチレンイミン主鎖の重量平均分子量は約６００Ｄａであり、式（ＩＩ）のｎは平均約２４であり、式（ＩＩ）のｍは平均約１６であり、式（ＩＩ）のＲは、水素、Ｃ１〜Ｃ４アルキル、及びこれらの混合物から選択され、好ましくは水素である。式（ＩＩ）の永久的な四級化度は、ポリエチレンイミン主鎖窒素原子の０％〜約２２％であってよく、好ましくは０％である。この両親媒性アルコキシル化ポリエチレンイミンポリマーの分子量は、好ましくは２５，０００〜３０，０００Ｄａ、最も好ましくは２８，０００Ｄａである。
【００６６】
両親媒性アルコキシル化ポリエチレンイミンポリマーは、国際公開第２００７／１３５６４５号により詳細に記載されている方法によって作製することができる。
【００６７】
環状ポリアミン
当該組成物は、洗浄を助けるアミン官能基を有する環状ポリアミンを含み得る。本発明の組成物は、好ましくは当該組成物の約０．１重量％〜約３重量％、より好ましくは約０．２重量％〜約２重量％、特に約０．５重量％〜約１重量％の環状ポリアミンを含む。
【００６８】
当該アミンは、それが使用される洗浄媒体のｐＨに依存してプロトン化に供され得る。好ましい環状ポリアミンは、以下の式（ＩＩＩ）を有する：
【００６９】
【化４】
2020059843.tif 000005
（式中、Ｒ１、Ｒ２、Ｒ３、Ｒ４、及びＲ５は、独立して、ＮＨ２、−Ｈ、約１〜約１０個の炭素原子を有する直鎖又は分枝状アルキル、及び約１〜約１０個の炭素原子を有する直鎖又は分枝状アルケニルからなる群から選択され、ｎは、約１〜約３であり、好ましくはｎは１であり、Ｒのうちの少なくとも１つはＮＨ２であり、残りの「Ｒ」は、独立して、ＮＨ２、−Ｈ、約１〜約１０個の炭素原子を有する直鎖又は分枝状アルキル、及び約１〜約１０個の炭素原子を有する直鎖又は分枝状アルケニルからなる群から選択される）。好ましくは、環状ポリアミンは、ｎが１であり、Ｒ２がＮＨ２であり、Ｒ１、Ｒ３、Ｒ４、及びＲ５のうちの少なくとも１個がＣＨ３であり、残りのＲがＨであるジアミンである。
【００７０】
環状ポリアミンは、少なくとも２つの一級アミン官能基を有する。一級アミンは、環状アミン内の任意の位置に存在してよいが、油脂洗浄の観点から、一級アミンが１，３位に存在するときにより良好な性能が得られることが見出されている。置換基のうちの１個が−ＣＨ３であり、残りがＨである環状アミンが、改善された油脂洗浄性能を提供することも見出されている。
【００７１】
したがって、本発明の洗浄組成物で使用するのに最も好ましい環状ポリアミンは、２−メチルシクロヘキサン−１，３−ジアミン、４−メチルシクロヘキサン−１，３−ジアミン、及びこれらの混合物からなる群から選択される環状ポリアミンである。これら特定の環状ポリアミンは、本発明の組成物の界面活性剤系と共に配合されたとき、食器洗浄プロセス全体を通して泡及び油脂洗浄プロファイルを改善する機能を有する。
【００７２】
追加成分：
本発明の組成物は、ｉ）塩、ｉｉ）ヒドロトロープ、ｉｉｉ）有機溶媒、及びそれらの混合物からなる群から選択される少なくとも１つの活性物質を更に含み得る。
【００７３】
塩：
本発明の組成物は、組成物全体の約０．０５重量％〜約２重量％、好ましくは約０．１重量％〜約１．５重量％、又はより好ましくは約０．５重量％〜約１重量％の塩、好ましくは一価若しくは二価の無機塩、又はこれらの混合物、より好ましくは、塩化ナトリウム、硫酸ナトリウム、及びこれらの混合物から選択される塩を含み得る。塩化ナトリウムが最も好ましい。
【００７４】
ヒドロトロープ：
本発明の組成物は、組成物全体の約０．１重量％〜約１０重量％、又は好ましくは約０．５重量％〜約１０重量％、又はより好ましくは約１重量％〜約１０重量％のヒドロトープ又はその混合物、好ましくはクメンスルホン酸ナトリウムを含み得る。
【００７５】
有機溶媒：
当該組成物は、組成物全体の約０．１重量％〜約１０重量％、又は好ましくは約０．５重量％〜約１０重量％、又はより好ましくは約１重量％〜約１０重量％の有機溶媒を含み得る。好適な有機溶媒としては、アルコール、グリコール、グリコールエーテル、及びこれらの混合物、好ましくはアルコール、グリコール、及びこれらの混合物からなる群から選択される有機溶媒が挙げられる。エタノールが好ましいアルコールである。ポリアルキレングリコール、特にポリプロピレングリコールが好ましいグリコールである。
【００７６】
補助成分
当該洗浄組成物は、所望により、ビルダー（好ましくはシトレート）、キレート剤、コンディショニングポリマー、他の洗浄ポリマー、表面改質ポリマー、構造化剤、皮膚軟化剤、湿潤剤、皮膚若返り活性物質、酵素、カルボン酸、スクラブ粒子、香料、悪臭抑制剤、顔料、染料、乳白剤、真珠光沢粒子、Ｃａ／Ｍｇイオンなどのアルカリ土類金属などの無機カチオン、抗菌剤、防腐剤、粘度調整剤（例えば、ＮａＣｌ、並びに他の一価、二価、及び三価の塩などの塩）、並びにｐＨ調整剤及び緩衝手段（例えば、クエン酸などのカルボン酸、ＨＣｌ、ＮａＯＨ、ＫＯＨ、アルカノールアミン、炭酸ナトリウムなどの炭酸塩、重炭酸塩、セスキ炭酸塩など）などの多くの他の補助成分を含み得る。
【００７７】
洗浄方法
本発明は、更に、本発明の組成物で食器を手洗いする方法を目的とする。当該方法は、本発明の組成物を所定の体積の水に供給して洗浄溶液を形成する工程と、当該溶液中に食器を浸漬する工程とを含む。食器は、水の存在下において当該組成物で洗浄される。所望により、食器をすすいでもよい。本明細書では、「すすぐ」とは、本発明によるプロセスによって洗浄された食器類を、かなりの量の適切な溶媒、典型的には水と接触させることを意味する。「かなりの量」とは、通常、約１〜約２０Ｌ又は流水下を意味する。
【００７８】
本明細書の組成物は、希釈形態にて適用できる。汚れた食器類を、有効量、典型的には（処理される食器約２５個当たり）約０．５ｍＬ〜約２０ｍＬ、好ましくは約３ｍＬ〜約１０ｍＬの、水で希釈した本発明の洗剤組成物と、好ましくは液体形態で接触させる。使用される洗浄組成物の実際の量は使用者の判断に基づき、典型的には、洗浄組成物中の有効成分の濃度などを含む洗浄組成物の特定の製品配合、洗浄される汚れた食器の数、食器の汚れの度合などの要因に依存する。一般に、約０．０１ｍＬ〜約１５０ｍＬ、好ましくは約３ｍＬ〜約４０ｍＬの本発明の洗浄組成物を、シンク内の約２，０００ｍＬ〜約２０，０００ｍＬ、より典型的には約５，０００ｍＬ〜約１５，０００ｍＬの水と組み合わせる。このように得られた希釈された洗浄組成物の入ったシンク内に汚れた食器を浸漬した後、当該食器の汚れた表面を布、スポンジ、又は類似の洗浄用具と接触させる。布、スポンジ、又は類似の洗浄用具は、食器と接触させる前に洗浄組成物と水との混合物に浸漬してもよく、典型的には、約１〜約１０秒間の範囲の時間にわたって食器と接触させるが、実際の時間は各用途及びユーザによって異なる。布、スポンジ、又は類似の洗浄用具を食器と接触させることは、同時に食器をこすることによって達成される。
【００７９】
本発明の別の態様は、油脂及び／又は粒子状汚れの存在下における泡安定化を含む、良好な泡立ちプロファイルを提供するための、本発明の食器手洗い用洗浄組成物の使用を目的とする。
【００８０】
試験方法
本明細書に記載され、特許請求される発明がより完全に理解され得るためには、以下に記載するアッセイを用いなければならない。
【００８１】
試験法１：泡マイレージ試験
泡マイレージ試験の目的は、周期的な汚れ注入の影響下にある間の、指定の水硬度、溶液温度、及び製剤濃度における様々な試験製剤について発生した泡体積の経時的発達を比較することである。データを比較し、参照組成物に対する泡マイレージ指数として表される（参照組成物は泡マイレージ指数１００を有する）。当該方法の工程は、以下のとおりである。
１．標的とする組成物濃度（ここでは０．１２重量％）に応じた規定量の試験組成物を、４ｂａｒの一定圧力で４Ｌになるまでシンクを満たす水流（ここでは、水硬度：２、７、１５ｇｐｇ、水温：４２℃）にシンクの底面（寸法：直径３００ｍｍ及び高さ２８８ｍｍ）の上方３７ｃｍの高さにおいて０．６７ｍＬ／秒の流速でプラスチック製ピペットを通して分注する。
２．発生した初期泡体積（平均泡高さ×シンクの表面積として測定し、ｃｍ３で表す）を充填終了直後に記録する。
３．以下のとおり規定の組成を有する固定量（６ｍＬ）の汚れを、シンクの中央に直ちに注入する。
４．８５ＲＰＭで２０回回転する、４５度の角度で気液界面においてシンクの中央に位置する金属ブレード（１０ｃｍ×５ｃｍ）を用いて、得られた溶液を混合する。
５．合計泡体積の別の測定値を、ブレードの回転終了直後に記録する。
６．測定された合計泡体積が４００ｃｍ３の最低レベルに達するまで工程３〜５を繰り返す。４００ｃｍ３のレベルに達するのに必要な汚れの添加量を、試験組成物の泡マイレージとみなす。
７．各試験組成物を、試験条件（すなわち、水温、組成物濃度、水硬度、汚れの種類）につき４回試験する。
８．規定の試験条件につきサンプル毎に４回繰り返した平均として、平均泡マイレージを計算する。
９．参照組成物サンプルに対して試験組成物サンプルの平均マイレージを比較することによって、泡マイレージ指数を計算する。計算は、以下のとおりである。
【００８２】
【数１】
2020059843.tif 000006
【００８３】
表１及び２に記載される成分の標準的な混合を通して汚れ組成物を作製する。
【００８４】
【表１】
2020059843.tif 000007
【００８５】
【表２】
2020059843.tif 000008
【実施例】
【００８６】
以下の実施例は、本発明を更に例証するために与えられるものであり、本発明の範囲から逸脱することなく本発明の多くの変形が可能であることから、本発明を限定すると解釈すべきではない。
【００８７】
実施例１：本発明の組成物及び比較組成物
本発明に係るＣ１３／Ｃ１２アルキル（エトキシ）サルフェートモル比を有する洗浄組成物（本発明の組成物１−６５．６／３４．４）及び本発明の範囲外の組成物（比較組成物１−５０．７／４９．３）について、洗浄組成物がその泡のマイレージを改善する能力を評価した。表３に記載される成分の標準的な混合を通して組成物を作製した。以下に表形式で示すとおり出発アルコール／アルコールエトキシレートブレンドを予混合し、続いて、当該技術分野において既知であるように、三酸化硫黄を使用した標準的な硫酸化プロセスによって、Ｃ２３ＡＥ０．６Ｓアルキルサルフェートアニオン性界面活性剤を得た。
【００８８】
【表３】
2020059843.tif 000009
【００８９】
実施例１ａ：本発明の組成物及び比較組成物の泡マイレージ指数
本発明の組成物１及び比較組成物１を含む得られた組成物を、本明細書に記載されるとおりに泡マイレージ指数試験方法を用いて評価した。試験した水硬度にわたる平均泡マイレージ指数の結果を表４に要約する。泡マイレージ指数の値が高いほど、泡マイレージの維持が良好である。データから、本発明の組成物１は、比較組成物１と比較して、油脂汚れの存在下においてより強い泡の堅牢性を有するが、粒子状汚れの存在下において泡の堅牢性が損なわれることはないと結論付けることができる。
【００９０】
【表４】
2020059843.tif 000010
【００９１】
本明細書で開示される寸法及び値は、列挙された正確な数値に厳密に限られるとして理解されるべきではない。その代わりに、特に指示がない限り、このような各寸法は、列挙された値とその値を囲む機能的に同等な範囲との両方を意味することが意図されている。例えば、「４０ｍｍ」と開示された寸法は、「約４０ｍｍ」を意味することが意図される。
【外国語明細書】
2020059843.tif 000012
2020059843.tif 000013
2020059843.tif 000014
2020059843.tif 000015
2020059843.tif 000016
2020059843.tif 000017
2020059843.tif 000018
2020059843.tif 000019
2020059843.tif 000020
2020059843.tif 000021
2020059843.tif 000022
2020059843.tif 000023
2020059843.tif 000024
2020059843.tif 000025
2020059843.tif 000026
2020059843.tif 000027
2020059843.tif 000028
2020059843.tif 000029
2020059843.tif 000030
2020059843.tif 000031
2020059843.tif 000032
2020059843.tif 000033
2020059843.tif 000034
2020059843.tif 000035
2020059843.tif 000036
2020059843.tif 000037
2020059843.tif 000038